(57)【要約】【課題】簡単な構成で足の親指の押し広げ量を迅速かつ容易に調節できるようにする。【解決手段】足の親指Ｆ１を位置規制可能な第１足指位置規制部１０と、当該親指Ｆ１を除いた各足指（Ｆ２等）を位置規制可能な第２足指位置規制部２０とを有し、第１足指位置規制部１０が、一対のベルト部（１１，１５）からなり、当該両ベルト部（１１，１５）を足の親指Ｆ１に違う側から巻きつけその状態で当該両ベルト部（１１，１５）の平面ファスナ構成要素（１３，１７）同士を係止させて親指Ｆ１を位置規制可能かつ各平面ファスナ構成要素（１３，１７）の係止位置を変えることにより当該親指Ｆ１の第２足指位置規制部２０に対する位置を調節可能に構成する。また、人の足Ｆの甲Ｆ１０と当接して当該足Ｆが当該履物底部１から離れる方向へ移動するのを規制する移動規制ベルト３０を設ける。【選択図】        図１
2004215870.tif 000002
【特許請求の範囲】
【請求項１】
履物底部の上面前方部に人の足の親指を位置規制可能な第１足指位置規制部と、当該親指を除いた各足指を位置規制可能な第２足指位置規制部とを有し、
第１足指位置規制部が、それぞれ基端部が履物底部に固定されかつ自由端部に平面ファスナ構成要素が取り付けられた一対のベルト部からなり、当該両ベルト部を足の親指に違う側から巻きつけその状態で当該両ベルト部の平面ファスナ構成要素同士を係止させて親指を位置規制可能かつ各平面ファスナ構成要素の係止位置を変えることにより当該親指の第２足指位置規制部に対する位置を調節可能に構成されたことを特徴とする外反母趾予防矯正用履物。
【請求項２】
前記履物底部に、人の足の甲と当接して当該足が当該履物底部から離れる方向へ移動するのを規制する移動規制ベルトを設けた請求項１記載の外反母趾予防矯正用履物。
【発明の詳細な説明】
【０００１】
【発明の属する技術分野】
本発明は、外反母趾予防矯正用履物（サンダル、スリッパ等）に関する。
【０００２】
【従来の技術】
外反母趾は、母趾（親指）が中足趾節関節（付け根の関節）で外側（小趾側）に「く」の字に曲がる病気である。症状がひどくなると母趾が第二趾（人差し指）の下に潜り込んだようになったり、それぞれの足指にタコができたりして、歩行困難に陥ることがある。特に、ファッション性を重視したパンプスやハイヒールを履くことが多い女性が外反母趾になりやすい。
【０００３】
従来、外反母趾予防矯正用履物として、人の足の親指と第二趾との間に挿入具が入り込んで親指を外側へ押し広げるものが提案されている（例えば、特許文献１参照。）。
【０００４】
【特許文献１】
登録実用新案第３０７９４９２号公報
【０００５】
【発明が解決しようとする課題】
ところで、上記した外反母趾予防矯正用履物では、親指を押し広げる量が一定である。そのため、外反母趾の症状が重い人が、矯正するために上記履物を履こうとした場合に、親指が無理に押し広げられ過ぎて激しい痛みを感じることがある。また、一日の内でも、朝に上記履物を履いたときは痛みを感じなかったものの夕方になるに連れて痛みを感じるようになることがある。
【０００６】
本発明の目的は、簡単な構成で足の親指の押し広げ量を迅速かつ容易に調節できる外反母趾予防矯正用履物を提供することにある。
【０００７】
【課題を解決するための手段】
請求項１の発明は、履物底部の上面前方部に人の足の親指を位置規制可能な第１足指位置規制部と、当該親指を除いた各足指を位置規制可能な第２足指位置規制部とを有し、第１足指位置規制部が、それぞれ基端部が履物底部に固定されかつ自由端部に平面ファスナ構成要素が取り付けられた一対のベルト部からなり、当該両ベルト部を足の親指に違う側から巻きつけその状態で当該両ベルト部の平面ファスナ構成要素同士を係止させて親指を位置規制可能かつ各平面ファスナ構成要素の係止位置を変えることにより当該親指の第２足指位置規制部に対する位置を調節可能に構成されたことを特徴とする外反母趾予防矯正用履物である。
【０００８】
上記請求項１の発明の場合、両ベルト部の平面ファスナ構成要素の係止位置を変えることにより当該親指の第２足指位置規制部に対する位置を調節できる。したがって、簡単な構成で足の親指の押し広げ量を迅速かつ容易に調節できる。
【０００９】
請求項２の発明は、前記履物底部に、人の足の甲と当接して当該足が当該履物底部から離れる方向へ移動するのを規制する移動規制ベルトを設けた外反母趾予防矯正用履物である。
【００１０】
上記請求項２の発明では、請求項１記載の発明の場合と同様な作用・効果を奏し得る他、歩いている場合でも人の足が履物底部から離れることはなく、一段と効果的に外反母趾の矯正を行える。
【００１１】
【発明の実施の形態】
以下、本発明の実施形態を図面に基づき説明する。
【００１２】
本発明に係る外反母趾予防矯正用履物は、図１〜図３に示すように、履物底部１と、第１足指位置規制部１０と、第２足指位置規制部２０とを有し、人の足Ｆの親指Ｆ１を位置規制可能かつ当該親指Ｆ１の第２足指位置規制部２０に対する位置を調節可能に構成されている。この実施形態では、上記履物は、室内で履くスリッパとして用いられている。
【００１３】
履物底部１は、人の足Ｆの裏と当接して当該人の歩行等を補助可能に形成されている。履物底部１は、クッション性能の良い各種材料（合成樹脂、布等）で形成されている。
【００１４】
次に、第１足指位置規制部１０は、履物底部１の上面前方部２に設けられており、人の足Ｆの親指Ｆ１を位置規制可能に構成されている。また、第２足指位置規制部２０は、履物底部１の上面前方部２に上記第１足指位置規制部１０と並んで設けられており、親指Ｆ１を除いた各足指（人差し指Ｆ２、中指Ｆ３、薬指Ｆ４、小指Ｆ５）を位置規制可能に構成されている。
【００１５】
具体的には、第１足指位置規制部１０は、一対のベルト部（１１，１５）から構成されている。この実施形態では、これらのベルト部（１１，１５）は一体的に形成されており、図２に示すように、共通の基端部１９を有している。
【００１６】
詳しくは、ベルト部１１は、基端部１９が履物底部１に固定されかつ自由端部１２に平面ファスナ構成要素（この実施形態では、平面ファスナの雄部）１３が取り付けられている。
【００１７】
同様に、ベルト部１５は、基端部１９が履物底部１に固定されかつ自由端部１６に平面ファスナ構成要素（この実施形態では、平面ファスナの雌部）１７が取り付けられている。両ベルト部（１１，１５）は、柔軟性に富み肌触りの良い丈夫な素材（例えば、天然繊維製の布）から形成されている。
【００１８】
そして、第１足指位置規制部１０は、図３（Ａ）に示すように、両ベルト部（１１，１５）を足Ｆの親指Ｆ１に違う側（すなわち、ベルト部１１は同図中左側、ベルト部１５は右側）から巻きつけ、その状態で当該両ベルト部（１１，１５）の平面ファスナ構成要素（１３，１７）同士を係止させて親指Ｆ１を位置規制可能に構成されている。
【００１９】
また、第１足指位置規制部１０は、図３（Ｂ）に示すように、各平面ファスナ構成要素（１３，１７）の係止位置を変えることにより親指Ｆ１の第２足指位置規制部２０に対する位置を調節可能に構成されている。すなわち、親指Ｆ１と第２足指位置規制部２０に係止された足指（例えば、人差し指Ｆ２）との間隔Ｌ２を図３（Ａ）の場合の間隔Ｌ１よりも大きくできる。なお、図３（Ｂ）の状態から図３（Ａ）の状態に戻すことも勿論できる。したがって、親指Ｆ１の人差し指Ｆ２等に対する押し広げ量を簡単に調節できる。
【００２０】
特に、この実施形態では、図１及び図２に示すように、履物底部１に、人の足Ｆの甲Ｆ１０と当接して当該足Ｆが当該履物底部１から離れる方向へ移動するのを規制する移動規制ベルト３０が設けられている。なお、同図中、３１は平面ファスナである。３２は平面ファスナ３１の雄部、３３は平面ファスナ３１の雌部である。
【００２１】
上記構成の外反母趾予防矯正用履物１によれば、両ベルト部（１１，１５）の平面ファスナ構成要素（１１，１５）の係止位置を変えることにより親指Ｆ１の第２足指位置規制部２０に対する位置を調節できる。したがって、簡単な構成で足Ｆの親指Ｆ１の押し広げ量を迅速かつ容易に調節できる。
【００２２】
また、履物底部１に、人の足Ｆの甲Ｆ１０と当接して当該足Ｆが当該履物底部１から離れる方向へ移動するのを規制する移動規制ベルト３０が設けられているので、歩いている場合でも足Ｆが履物底部１から離れることはなく、一段と効果的に外反母趾の矯正を行える。
【００２３】
なお、上記実施形態では、本発明を室内で履くスリッパとして用いたが、これに限定されるものではなく、他の履物（サンダル等）に適用可能である。
【００２４】
【発明の効果】
請求項１の発明によれば、足の親指を位置規制可能な第１足指位置規制部と、当該親指を除いた各足指を位置規制可能な第２足指位置規制部とを有し、第１足指位置規制部が、一対のベルト部からなり、当該両ベルト部を足の親指に違う側から巻きつけその状態で当該両ベルト部の平面ファスナ構成要素同士を係止させて親指を位置規制可能かつ各平面ファスナ構成要素の係止位置を変えることにより当該親指の第２足指位置規制部に対する位置を調節可能に構成されているので、簡単な構成で足の親指の押し広げ量を迅速かつ容易に調節できる。
【００２５】
請求項２の発明によれば、履物底部に、人の足の甲と当接して当該足が当該履物底部から離れる方向へ移動するのを規制する移動規制ベルトを設けたので、請求項１記載の発明の場合と同様な効果を奏し得る他、歩いている場合でも人の足が履物底部から離れることはなく、一段と効果的に外反母趾の予防矯正を行える。
【図面の簡単な説明】
【図１】本発明の一実施形態を説明するための斜視図である。
【図２】第１足指位置規制部の取り扱いを説明するための図である。
【図３】第１足指位置規制部による親指矯正効果を説明するための図である。
【符号の説明】
１  履物底部
２  上面前方部
１０  第１足指位置規制部
１１  ベルト部
１２  自由端部
１３  平面ファスナ構成要素
１５  ベルト部
１６  自由端部
１７  平面ファスナ構成要素
１９  基端部
２０  第２足指位置規制部
３０  移動規制ベルト
３１  平面ファスナ
【図１】
2004215870.tif 000003
【図２】
2004215870.tif 000004
【図３】
2004215870.tif 000005